(57)【要約】本発明は、樹脂組込み疎水性増強化合物を備えた有孔フィルムからなる弾性３次元ウェブに関する。この弾性３次元ウェブは、通気性が得られるようバックシート中に有孔層が設けられるべき乳幼児用おむつ、大人向け失禁用物品及び特に生理用ナプキン又はパンティーライナーのような通気性のある吸収物品に用いることができる。有孔フィルムは、孔を備えた液体不浸透性ポリマーフィルムからなる弾性３次元ウェブから作られる。これらの孔は、フィルムの平面に垂直ではなく、フィルムの平面に対して９０°未満の角度をなす毛管を形成する。ポリマーフィルム材料は、材料の疎水性を強め、それにより障壁性能を向上させる化合物を含有している。【特許請求の範囲】
【請求項１】
孔（５３）を有する液体不浸透性ポリマーフィルム（５５）から成る弾性３次元ウェブであって、前記孔（５３）は毛管（５４）を形成し、前記毛管（５４）は、前記フィルム（５５）の着用者側表面から遠ざかって延びる側壁（５６）を有し、前記毛管（５４）は、前記フィルム（５５）の第１の表面に設けられた第１の開口部（５７）及び前記フィルム（５５）の第２の表面から間隔を置いて前記毛管（５４）の端部に設けられた第２の開口部（５８）を有し、前記毛管（５４）は、前記フィルムの平面から測って９０°未満の角度（５９）をなして前記フィルム（５５）の前記第２の表面から遠ざかって延び、前記ウェブは、前記ポリマーフィルムが樹脂組込みフルオロケミカル化合物を有していて、フルオロケミカル化合物の設けられていないポリマー材料と比較して、水との接触角が増大していることを特徴とする弾性３次元ウェブ。
【請求項２】
層状構造の通気性使い捨て吸収物品であって、各層又は層全体は、物品の使用中衣料品の方向（２１）に向くよう配置された衣料品側表面及び物品の使用中着用者の方向（２０）に向くよう配置された着用者側表面を有し、前記物品は少なくとも、吸収心材（４０，４２，４４）と、前記吸収心材（４０，４２，４４）の前記衣料品側表面上に設けられた通気性バックシート（５０，５２ ）とを有し、前記バックシート（５０，５２ ）は、少なくとも第１のバックシート層（５０）を有し、前記第１のバックシート層（５０）は、前記吸収心材（４０，４２，４４）の前記衣料品側表面内に位置し、前記第１の層（５０）は水蒸気及び空気透過性であり、前記第１のバックシート層（５０）は、弾性３次元ウェブを有し、前記ウェブは、孔（５３）を有する液体不浸透性ポリマーフィルム（５５）から成り、前記孔（５３）は毛管（５４）を形成し、前記毛管（５４）は、前記フィルム（５５）の着用者側表面から遠ざかって延びる側壁（５６）を有し、前記毛管（５４）は、前記フィルム（５５）の前記第１の表面に設けられた第１の開口部（５７）及び前記フィルム（５５）の前記第２の表面から間隔を置いて前記毛管（５４）の端部に設けられた第２の開口部（５８）を有し、前記毛管（５４）は、前記フィルムの平面から測定して９０°未満の角度（５９）をなして前記フィルム（５５）の前記第２の表面から遠ざかって延び、前記物品は、前記ポリマーフィルムが樹脂組込みフルオロケミカル化合物を有していて、フルオロケミカル化合物の設けられていないポリマー材料と比較して、水との接触角が増大していることを特徴とする通気性使い捨て吸収物品。
【請求項３】
水蒸気及び空気透過性不織材料によって構成された第２の層（５２）を更に有し、前記第２の層（５２）の前記着用者側表面は、前記バックシート（５０，５２ ）の着用者側表面であることを特徴とする請求項２記載の通気性使い捨て物品。
【請求項４】
水との前記接触角の増大分は、少なくとも５°、好ましくは２０°であることを特徴とする請求項２又は３記載の通気性使い捨て物品。
【請求項５】
ポリマーフィルムの水との接触角は、１００°よりも大きく、好ましくは１２０°よりも大きいことを特徴とする請求項２〜４のうちいずれか一に記載の通気性使い捨て物品。
【請求項６】
前記樹脂組込みフルオロケミカル化合物は、フルオロ脂肪族物質で置き換えたオキサゾリジノンから選択されていることを特徴とする請求項２〜５のうちいずれか一に記載の通気性使い捨て物品。
【請求項７】
前記毛管（５４）の各々の前記第１の開口部（５７）は、中心点（１５７ ）を有し、前記毛管の各々の前記第２の開口部もまた、中心点（１５８ ）を有し、前記中心点を結ぶ線は、前記毛管（５４）の各々の中心軸線（６０）を定め、前記中心軸線（６０）は前記フィルム（５５）の平面と角度（５９）をなし、前記角度は、８５°〜２０°、好ましくは６５°〜２５°、最も好ましくは５５°〜３０°であることを特徴とする請求項２〜６のうちいずれか一に記載の通気性使い捨て物品。
【請求項８】
前記毛管のうち少なくとも幾つかは、前記中心軸線（６０）に垂直な面積と比較して、吸収心材（４０，４２，４４）に向かう方向において面積が減少した液体移送性を有する円錐体を形成していることを特徴とする請求項２〜７のうちいずれか一に記載の通気性使い捨て物品。
【請求項９】
前記毛管のうち少なくとも幾つかの前記第２の開口部（５８）は全体として、スリットの形態をしており、前記スリットの長さは、その幅の少なくとも５倍であることを特徴とする請求項２〜８のうちいずれか一に記載の通気性使い捨て物品。
【発明の詳細な説明】
【０００１】
〔発明の分野〕
本発明は、樹脂組込み疎水性増強化合物を備えた有孔フィルムから成る弾性３次元ウェブに関する。この弾性３次元ウェブは、通気性が得られるようバックシート中に有孔層が設けられるべき乳幼児用おむつ、大人向け失禁用物品及び特に生理用ナプキン又はパンティーライナーのような通気性のある吸収物品に用いることができる。有孔フィルムは、孔を備えた液体不浸透性ポリマーフィルムから成る弾性３次元ウェブから作られる。これらの孔は、フィルムの平面に垂直ではなく、フィルムの平面に対して９０°未満の角度をなす毛管を形成する。ポリマーフィルム材料は、材料の疎水性を強め、それにより障壁性能を向上させる化合物を含有する。
【０００２】
〔発明の背景〕
吸収物品分野、特に、生理用ナプキン、月経処理用品又はパンティーライナーの開発の根底にある消費者の最も強い要望は、周りの人に気づかれないようにする度合いが高いことと快適さの度合いが高いことを両立させる製品が提供されることにある。
【０００３】
吸収物品において消費者の快適さに関して利益をもたらす一手段は、通気性の製品を提供することにある。通気性に関しては、吸収物品中にいわゆる「通気性バックシート」を設けることに関心を集中させているのが通例である。通常利用されている通気性バックシートは、例えば米国特許第４，５９１，５２３号に開示されているように方向性のある流体移送性をもつ微孔性フィルム及び有孔成形フィルムである。これらのタイプの通気性バックシートは両方とも、水蒸気透過性があり、環境とのガス交換を可能にしている。これにより、心材中に蓄えられた流体の一部の蒸発が可能になり、吸収物品内における空気の循環の度合が増す。後者は、有孔成形フィルム又はフィルム上のトップシートを有する物品の着用者によって経験される或いはかかる物品と関連のあるべたべたすると共に汚れているような感覚が減少するので特に有益である。
【０００４】
吸収物品中への通気性バックシートの使用と関連した欠点は、ユーザの衣料品上への漏れ（これは、ウェットスルー（ｗｅｔ ｔｈｒｏｕｇｈ ）と呼ばれている）により、周りの人に気づかれないようにする性能に対してマイナスの効果を及ぼす。通気性バックシートは原理的には、気体状態の物質の移送を可能にするだけであるが、物理的なメカニズム、例えば滲出、拡散及び毛管作用が依然として生じる場合があり、その結果、流体が吸収心材からバックシートを通ってユーザの衣料品に移着することになる場合がある。特に、これらのメカニズムは、もし製品が体を動かしている際に利用されたり、或いは経血が多い場合又は過度の長い期間にわたって用いられた場合にいっそう顕著になる。かくして、吸収物品中に通気性バックシートを設けることは快適さの観点からは非常に望ましいが、バックシートの主な役目は依然として液漏れ防止状態を保つことにあるので、従来型通気性バックシートは首尾よく製品中に組み込まれているわけではなかった。
【０００５】
かかる通気性バックシートを吸収物品中に組み込んだことによるユーザの衣料品へのウェットスルーの問題は、当該技術分野において認識されていたことは確かである。この問題を解決する試みは主として、米国特許第４，３４１，２１６号に記載されているように多層バックシートを用いることである。同様に、欧州特許出願第７１０４７１号は、ガス透過性で疎水性のポリマー繊維状ファブリックの外側層及び流体の運搬に方向性のある有孔成形フィルムから成る内側層を有する通気性バックシートを開示している。バックシートの構造は好ましくは、ある特定の検査条件のもとでは液体運搬／ウェットスルーを示さないものである。また、欧州特許出願第７１０４７２号は、心材領域全体にわたり互いに取り付けられていない少なくとも２つの通気性層から成る通気性バックシートを開示している。バックシート構造は好ましくは、ある特定の検査条件のもとでは液体運搬／ウェットスルーを呈さない。
【０００６】
米国特許第４，７１３，０６８号は、吸収物品の外側カバーとして用いられる通気性布状バリヤを開示している。バリヤは、少なくとも２つの層、即ち、特定の坪量、繊維直径及び気孔サイズをもつ第１の層と特定の厚さのポリ（ビニルアルコール）の連続フィルムから成る第２の層を有している。このバリヤはまた、特定の水蒸気透過率及び特定の不浸透性レベルを有している。
【０００７】
しかしながら、上記の提案された解決策のうち、あらゆる条件下における通気性バックシートのウェットスルーの問題に対して十分満足のいく解決策となることができたものはなかった。
【０００８】
米国特許第５，５９１，５１０号並びにＰＣＴ出願公開明細書ＷＯ９７／０３８１８及びＷＯ９７／０３７９５は、フィルムの平面に対して角度をなして設けられた毛管を有する有孔フィルム層を開示しており、かかるフィルムは、傾斜毛管フィルムと呼ばれている。このフィルム構造部材は、被服及び衣料品中への組み込み可能な改良手段として提供され、これら衣料品は、通気性があるが、その着用者に向かって液体が通らないようにする。また、かかる傾斜毛管フィルムを用いることは、吸収物品について述べる場合にはトップシートとして記載され、特に米国特許第５，５９１，５１０の図１６では、吸収材料と共にかかる傾斜毛管フィルムを組み合わせることが開示されている。しかしながら、本発明と類似した使い捨て吸収物品は、同時係属欧州特許出願第９８１０１８６７．４号及び第９８１０１８６８．２号に開示されている。
【０００９】
一般に、通気性構造部材の疎水性を高めることにより通気性構造部材の性能としての通気性及び耐液体通過性を向上させ、さらに、漏れが防止されるようになった方向とは逆のある方向に液体を押しやるために表面エネルギ勾配を導入することが知られている。かかる表面エネルギ勾配は、１９９７年に公開されたＰＣＴ出願番号ＰＣＴ／ＵＳ９６／２０６８５明細書に開示されている。この開示内容は、通気性吸収物品の漏れ及びストライクスルー（ｓｔｒｉｋｅ ｔｈｒｏｕｇｈ）に関する性能を向上させるため層と表面との間及び１つの層内部に流体接触角の勾配を生じさせた場合の利点に関する非常に詳細な説明を含んでいる。しかしながら、公開された上記ＰＣＴ出願明細書に開示された表面エネルギ勾配システムの一欠点は、勾配を生じさせるためには、表面を加工する必要があることである。本発明によれば、吸収物品の通気性バックシートシステム内に用いることができる毛管有孔フィルム層を最も隣に位置する層よりも疎水性にすることにより、表面加工を行う必要なく、相当な障壁（バリヤ）性能に関する向上が得られるということが判明した。
【００１０】
したがって、本発明の目的は、周りの人に気づかれないほどの許容レベルを維持しながら、即ち、層相互間の表面エネルギの勾配を用いることにより並外れて優れた漏れに対する抵抗を維持するが、層の追加の表面加工段階を必要としない快適さの向上した使い捨て吸収物品内に使用できるフィルムを提供することにある。
【００１１】
〔発明の概要〕
本発明は、樹脂組込み疎水性増強化合物を備えた有孔フィルムに関する。かかるフィルムは、液体の浸透に対して障壁（バリヤ）となる一方で優れた蒸気及び空気透過性を発揮する。かかるフィルムは、層状構造の通気性使い捨て吸収物品、例えば、乳幼児用おむつ、大人向け失禁用物品及び特に生理用ナプキン又はパンティーライナーに特に有用である。また、例えば腋下汗吸収パッド又はシャツスカラー（ｓｈｉｒｔ ｓｃｈｏｌａｒｓ）のような物品は、本発明の利点を享受できる。代表的には、かかる物品は、層状構造のものであり、各層又は層群は物品を使用中、衣料品の方向に向く衣料品側表面及びそれと反対側の方向に向く着用者側表面を有している。代表的には、かかる物品は、物品の着用者側表面を形成する液体浸透性トップシート、吸収心材及び物品の衣料品側表面を形成する通気性バックシートを有している。吸収心材は、トップシートとバックシートとの間に介在して設けられる。しかしながら、本発明によれば、吸収心材は、心材のこの表面がトップシートの機能をも発揮するように物品の着用者側表面となることができる。
【００１２】
本発明のフィルムは、孔を備えた液体不浸透性ポリマーフィルムから成る弾性３次元ウェブである。これらの孔は毛管を形成し、かかる毛管は、フィルムの第２の表面から遠ざかって延びる側壁を有し、ウェブに３次元性を与えている。毛管は、フィルムの第１の表面に設けられた第１の開口部及びフィルムの第２の表面から間隔を置いて毛管の端部に設けられた第２の開口部を有している。重要なこととして、毛管は、フィルムの平面に対して９０°未満の角度をなしてフィルムの第２の表面から遠ざかって延びている。
【００１３】
好ましい実施形態では、毛管はすべて実質的に同一であり、好ましくはフィルム全体にわたり均一に分布して設けられている。好ましくは、各毛管の中心軸線は、フィルムの平面と８５°〜２０°、より好ましくは６５°〜２５°、最も好ましくは５５°〜３０°をなしている。この中心軸線は、毛管の第１の開口部の中心点と毛管の第２の開口部の中心点を結ぶ線として定義される。
【００１４】
実施形態によっては、毛管のうち少なくとも幾つかの第１の開口部が各毛管の第２の開口部よりも大きく、したがって毛管それ自体がこれらの第２の開口部に向かう方向における毛管作用が増大する円錐形を形成するようになっている。本発明のさらに別の実施形態では、毛管は、フィルムの平面に向かって湾曲し、或いは後方に曲げられているように見える。変形例として又は追加例として、毛管は、方向、形態、形状、寸法又はその組み合わせにおいて互いに異なる第１及び第２の部分を有している。
【００１５】
また、毛管のうち少なくとも幾つかの第２の開口部をスリットとして設けてもよい。スリットは、開口部の最も大きな広がり又は長さが開口部の最も小さな長さの少なくとも５倍であるような形態をしたものであると考えられる。
【００１６】
本発明によれば、ポリマーフィルムは、ポリマー材料の疎水性が疎水性添加剤によって向上したポリマー材料組成物から作られる。好ましくは、添加剤は、ポリマーフィルム材料の流体接触角を、添加剤を用いない同一材料に対して、少なくとも５°、より好ましくは少なくとも１０°、最も好ましくは少なくとも２０°の値だけ大きくする。また、絶対接触角を１００°以上、好ましくは１２０°以上にすることが望ましい。
【００１７】
最も好ましいポリマー材料は、本来的に疎水性であるポリエチレン又はポリプロピレンである。これらの疎水性を高めるには、フルオロケミカル材料、例えばフルオロ脂肪族材料で置換したオキソゾリジノンを用いて達成できる。特定の好ましく市販されている疎水性添加物材料は例えば、米国セントルイスに所在のミネソタ・マイニング・マニファクチャリング・カンパニイのＦＸ−１８０１である。
【００１８】
本発明のフィルムは、通気性バックシート中に設けられる。これは、吸収心材の衣料品側表面上に設けられ、少なくとも第１のバックシート層及び好ましくは第２のバックシート層を有している。第２のバックシート層を設ける場合、第１のバックシート層は、吸収心材の衣料品側表面と第２のバックシート層の着用者側表面との間に配置される。物品に通気性を与えるために、すべてのバックシート層は少なくとも水蒸気透過性であり、好ましくは空気透過性である。好ましくは、第１のバックシート層は、本発明のフィルムによって構成される。このフィルムは、その第１の表面が衣料品側表面となり、第２のフィルム表面が第１のバックシート層の着用者側表面となるように用いられる。
【００１９】
一般に、吸収物品の構造は、フィルムを構成するウェブがバックシート構造の着用者側表面を形成するようなものであるのがよい。このようにすると、液体運搬に方向性があり、しかも傾斜した毛管から得られる圧力を受けた場合に閉じることができるので、快適さを向上するための最適通気性が維持されながら最適な漏れ止め作用が発揮される。
【００２０】
〔実施形態の詳細な説明〕
以下の説明において、本発明を特許請求の範囲に記載した吸収物品の場合に説明する。しかしながら、有孔フィルムの他の用途は、本発明のフィルムの改良した性質からの利益を享受することは認識されよう。
【００２１】
本発明は、吸収使い捨て物品、例えば生理用ナプキン、パンティーライナー、失禁用物品、汗吸収パッド、乳当てパッド及び乳幼児用おむつに関する。代表的にはかかる物品は、液体浸透性トップシート、バックシート及びトップシートとバックシートとの中間に設けられた吸収心材の要素を有している。本発明によれば、トップシート、バックシート及び心材を、公知の種類のこれら構成物品のうちの任意のものから選択できる。ただし、これらが、以下に説明し、請求項に記載される所望の快適さ及び周りの人に気づかれないようにする性能上の要件及び条件を満たしていることを条件とする。
【００２２】
一般に、トップシート（もし設けられていれば）は、乾燥した表面を維持し、それにより着用者の皮膚を乾燥状態に保つほどの液体保持力を有することが必要であり、吸収心材は、十分な吸収能力を発揮すると共に蒸気及び（又は）空気を通過させることができることが必要であり、バックシートは、十分な通気性を持ちながら、吸収した流体を保持するためにウェットスルー（液体透過性）を阻止する必要がある。さらに、好ましくは、種々の方法を用いて個々の要素を接合して最終製品が所望の快適さ及び性能レベルを持つようにする。
【００２３】
本発明の以下の説明において改めて、着用者の方向に向いた表面を、着用者側表面という。図面において、この方向は、矢印２０で示されている。さらに、衣料品の方向に向いた表面を衣料品側表面といい、図面においてこの方向は矢印２１で示されている。
【００２４】
吸収性物品の構成要素
トップシート
本発明によれば、吸収性物品は通常、トップシート（皮膚接触面材）を有している。本発明に用いるのに適したトップシートは、当該技術分野で知られているトップシートであればどれでもよい。図１では、トップシートは、参照符号３０で示されている。
【００２５】
本発明に用いられるトップシートは、単一の層から成っていてもよく、或いは多数の層から成っていてもよい。好ましい実施形態では、トップシートは、トップシートのユーザ側に向いた表面を備える第１の層及び吸収構造部材／心材との間に位置した第２の層を有している。加うるに、柔らかさを付加的にもたらし、或いは液体処理／保持性能を付加的にもたらす別の層を、第１の層の着用者側表面上に、しかしながら、物品の中央帯域又は周辺帯域の各部分内に延びる状態で設けることが望ましい場合がある（この設計は通常、「ハイブリッドトップシート」と呼ばれている）。トップシートは代表的には、吸収構造部材の全体を横切って延び、そして、好ましいサイドフラップ、側部包み込み要素又はウイングの一部又はすべての中に延びてこれを形成するのがよい。
【００２６】
トップシートは全体として、それゆえに各層はそれぞれ、柔軟性があり、ソフトな感触があり、しかも着用者の皮膚に対して刺激性のないものである必要がある。これはまた、一方向又は二方向に引き伸ばすことができる弾性特性を有するのがよい。本明細書において用いるトップシートという用語はそれゆえに、流体を着用者から受け取ってこれを吸収心材に向かって運ぶこと及び吸収心材を封じ込めることが主要な機能である任意の層又は層の組み合わせを意味している。加うるに、本発明のトップシートは、高い蒸気透過性、好ましくはさらに高い空気透過性を有することが必要である。
【００２７】
本発明によれば、トップシートをこの目的に利用でき、当該技術分野で知られている材料のうち任意のもの、例えば織布、不織布、フィルム又はこれらの組み合わせで形成するのがよい。本発明の好ましい実施形態では、トップシートの層のうち少なくとも１つは、液体浸透性有孔ポリマーフィルムから成る。好ましくは、着用者に向いて着用者に接触する層は、例えば米国特許第３，９２９，１３５号、米国特許第４，１５１，２４０号、米国特許第４，３１９，８６８号、米国特許第４，３２４，４２６号、米国特許第４，３４２，３１４号及び米国特許第４，５９１，５２３号に詳しく説明されているように、着用者側表面から吸収構造部材への液体運搬を容易にするのに設けられた孔を有するフィルム材料によって構成される。しかしながら、不織布又は織布材料に孔を設けるとこれらの液体受容機能を向上させることができる。
【００２８】
吸収心材
本発明によれば、本発明で用いられるのに適した吸収心材は、当該技術分野で知られている吸収心材又は心材システムのうち任意のものから選択できる。本明細書で用いる「吸収心材」は、主要機能が流体を吸収し、貯蔵し及び分配することにある任意の材料又は多数の材料層を有している。図１において、吸収構造部材は、３つの層４０，４２，４４から成るものとして示されている。
【００２９】
本発明の吸収心材は、高い蒸気透過性、好ましくはさらに高い空気透過性を有する必要がある。吸収心材のキャリパ又は厚さは好ましくは、１２ｍｍ未満であり、好ましくは８ｍｍ未満であり、より好ましくは５ｍｍ未満であり最適には４ｍｍ〜２ｍｍである。
【００３０】
本発明によれば、吸収心材は、以下の構成要素、即ち（ａ）任意的に用いられる一次流体分配層（これは好ましくは、第２の任意的な流体分配層と一緒に用いられる）、（ｂ）流体貯蔵層、（ｃ）貯蔵層の下に任意的に用いられる繊維（「ダスチング」）層、及び（ｄ）他の任意的に用いられる構成要素を有するのがよい。
【００３１】
ａ．一次／二次流体分配層
図１に層４０として示された本発明の吸収心材の１つの任意的に用いられる構成要素は、一次流体分配層及び二次流体分配層である。一次流体分配層は代表的には、トップシートと流体連通状態にその下に位置している。トップシートは、受け取った流体を最終的には貯蔵層への分配のためにこの一次分配層に移送する。この一次分配層への流体のこの移送は、厚みの中で起こるだけでなく、吸収物品の長さ方向及び幅方向にそっても生じる。また任意的に用いられるが好ましい二次分配層は代表的には、一次分配層と流体連通状態でその下に位置している。この二次分配層の目的は、一次分配層から流体を容易に受け取ってこれを迅速にその下に位置する貯蔵層に移送することにある。これにより、下に位置する貯蔵層の流体容量を十分に活用することができる。流体分配層をかかる分配層について代表的な任意の材料で構成するのがよい。
【００３２】
ｂ．流体貯蔵層
一次又は二次分配層と流体連通状態で、且つ代表的にはその下に位置して流体貯蔵層４２が設けられている。流体貯蔵層は、任意の通常の吸収材料又はその組み合わせから成るのがよい。かかる吸収材料は好ましくは、任意のキャリヤと組み合わせて用いられる「ヒドロゲル（ｈｙｄｒｏｇｅｌ）」、「超吸収性（ｓｕｐｅｒａｂｓｏｒｂｅｎｔ）」、「ヒドロコロイド（ｈｙｄｒｏｃｏｌｌｏｉｄ）」材料を意味し、これらは、図１に粒子４３として示されている。
【００３３】
吸収ゲル化材料は、多量の水性体液を吸収することができ、さらに、かかる吸収した液体を適当な圧力のもとで保持することができる。吸収ゲル化材料を、適当なキャリヤ中に均一に又は不均一に分散させてもよい。適当なキャリヤは、これらがそれ自体吸収性をもつ限り、単独で用いてもよい。
【００３４】
本発明において用いられる適当な吸収ゲル化材料はたいていの場合、実質的に水不溶性、わずかに架橋し、部分的に中性化されたポリマーゲル化材料の粒子から成る場合が殆どである。この材料は、水と接触するとヒドロゲルを生じる。かかるポリマー材料を、重合性があり不飽和の酸含有モノマー（単量体）から作るのがよく、かかるモノマーは当該技術分野で周知である。
【００３５】
適当なキャリヤは、従来通り吸収構造部材中に利用されている毛羽及び（又は）組織の形態をした材料、例えば天然、改質又は合成繊維、特に、改質又は非改質セルロース系繊維を含む。適当なキャリヤを吸収ゲル化材料と一緒に用いてもよいが、これらは単独で用いることができ、或いは組み合わせて用いることができる。生理用ナプキン及びパンティーライナーの場合、組織又は組織積層品が最も好ましい。
【００３６】
本発明にしたがって作られた吸収構造部材の実施形態は、二重層の組織積層品から成る。これら層を例えば接着剤により、或いはポリマー粉末結合剤（例えばＰＥ粉末）を溶融させることにより、機械的相互形式方式又は水素ブリッジベンド法（ｈｙｄｒｏｇｅｎ ｂｒｉｄｅ ｂｅｎｄｓ）によって互いに接合するのがよい。吸収ゲル化材料又は他の任意的に用いられる材料を層相互間で構成してもよい。
【００３７】
改質セルロース系繊維、例えば、剛化セルロース系繊維も使用できる。合成繊維もまた用いることができ、かかる合成繊維としては、酢酸セルロース、ポリ弗化ビニル、ポリ塩化ビニル、アクリル樹脂（例えば、Ｏｒｌｏｎ ）、ポリ酢酸ビニル、不溶性ポリビニルアルコール、ポリエチレン、ポリプロピレン、ポリアミド（例えば、ナイロン）、ポリエステル、２成分繊維、３成分繊維、これらの混合物等で作られたものを含む。好ましくは、繊維表面は親水性であり、又はこれを親水性を持つように加工する。貯蔵層は、液体保持力を向上させるために充填材、例えばパーライト（Ｐｅｒｌｉｔｅ ）、珪藻土、ひる石等をさらに有するのがよい。
【００３８】
もし吸収ゲル化物質をキャリヤ中に不均一に分散させた場合、それにもかかわらず、貯蔵層は局所的に均一な場合があり、即ち、貯蔵層の寸法形状中で１又は幾つかの方向において分布勾配を有する。不均一分布状態はまた、吸収ゲル化材料を部分的に又は完全に包囲するキャリヤの積層品についても当てはまる。
【００３９】
液体貯蔵手段としての変形例は、フォーム上又は実際のフォーム構造部材である。液体を吸収し、そして化学的又は表面相互作用により、加圧下でも液体を保持する連続気泡フォームがある。この場合の代表的なフォームは例えば、ＰＣＴ出願公開明細書ＷＯ９３／０３６９９、ＷＯ９３／０４０９２及びＷＯ９３／０４１１３に開示されたものである。
【００４０】
ｃ．任意的に用いられる繊維（「ダスチング」）層
本発明の吸収心材中に任意的に含まれる構成要素は、貯蔵層に隣接し、代表的にはその下に位置した図１において参照符号４４で示された繊維層である。この下に位置する繊維層は代表的には、「ダスチング」層とよばれている。というのは、この繊維層は、吸収心材の製造中に、貯蔵層中の吸収ゲル化物質が被着される基材をなすからである。確かに、吸収ゲル化物質がマクロ構造、例えば繊維、シート又はストリップの形態をしている場合、この繊維「ダスチング」層を設ける必要はない。しかしながら、この「ダスチング」層は、流体の取扱い上、ある追加の機能を、例えばパッドの長さに沿って流体の迅速な吸い上げを発揮する。
【００４１】
ｄ．吸収構造部材の他の任意的に用いられる構成要素
本発明の吸収心材は、通常吸収ウェブ中に存在する他の任意的構成要素を有するのがよい。例えば、強化スクリムを吸収心材のそれぞれの層中に又はそれぞれの層相互間に配置するのがよい。かかる補強スクリムは、流体移送に対して界面バリヤを形成しないような形状のものであることが必要である。通常は熱結合の結果として得られる構造健全性が得られた場合には、補強スクリムは熱結合された吸収構造部材には不要であるのが通例である。
【００４２】
本発明の吸収心材中に設けることができ、好ましくは、一次又は二次流体分配層又は流体貯蔵層に近接して又は一部として設けられる別の構成要素は、臭気抑制剤、例えばゼオライト、カーボンブラック、シリケート、ＥＤＴＡ又は他のキレートである。かかる臭気抑制剤は好ましくは、粒子の形態又は粒子の一部として設けられ、かかる抑制剤を上述の吸収ゲル化物質と一緒に設けるのがよい。
【００４３】
バックシート
本発明の吸収物品は、通気性バックシートをさらに有している。バックシートは主として、吸収構造部材中に吸収されて収容されている滲出物が吸収製品に接触する物品、例えば、ズボン下、ズボン、パジャマ、下着及びスカート又はジャケットを濡らすのを防止する必要があり、それにより、流体運搬に対するバリヤとして作用する。しかしながら、これに加えて本発明の通気性バックシートは、少なくとも水蒸気、例えば水蒸気と空気の両方を通過させることができ、かくして、物品内への空気の流入と物品からの水蒸気の流出を循環させることができる。バックシートは代表的には、吸収構造部材全体にわたって延び、そして、サイドフラップ、サイド包装要素又はウイング（存在している場合）の一部又は全体の中に延びてこれを形成するのがよい。
【００４４】
本発明の好ましい実施形態によれば、２層又は多層の通気性バックシート複合材が、吸収物品中に用いられる。本発明によれば、かかる実施形態の適当な通気性バックシートは、少なくとも第１の層及び第２の層を有し、第１の層は、空気透過性の層である。本発明において用いられる好ましい通気性バックシートは、高い蒸気交換性、最も好ましくは、高い水蒸気交換性と高い空気交換性の両方を有するものである。
【００４５】
第１の層は、図１に層５０として示されている。これは、吸収心材の衣料品側表面上に且つ図１に層５２として示された第２の層の着用者側表面上に配置されている。この層は、液体が吸収心材から外部に向かって流れるのを遅らせ又は阻止する一方において自由に空気を流通させることができるように差し向けられている。
【００４６】
第１の層
バックシートの第１の層は、本発明のフィルムによって得られる。第１の層は好ましくは、吸収心材と直接接触する。第１の層は、孔が設けられていることにより空気及び水蒸気透過性をもたらす。好ましくは、この層は、上述の米国特許第５，５９１，５１０号又はＰＣＴ出願公開明細書ＷＯ９７／０３８１８、ＷＯ９７／０３７９５号にしたがって製造される。特に、この層は、第１の層５０として図１に示されていて、毛管５４を有するポリマーフィルムからなる。毛管は、９０°未満の角度をなしてフィルム５０の着用者側表面から遠ざかって延びている。図２〜図７では、かかる毛管の変形実施形態が示されている。好ましくは、毛管は、層の表面全体にわたって均一に分布して設けられ、すべて同一である。しかしながら、例えば吸収心材の中央吸収保持帯域と整列した区域の外部に位置する領域にのみ孔を備えた表面のある区域のみを備えた層が、本発明の毛管を備えてもよい。
【００４７】
毛管作用孔を備えたかかる３次元ポリマーウェブの製造方法は、上述の有孔フィルムトップシートに関する技術文献、有孔成形フィルムに関する技術文献及び顕微鏡的／肉眼的発泡させたフィルムに関する技術文献に見られる方法と同一又は実質的に同一である。代表的には、ポリマーウェブ、例えば、ポリエチレン（ＬＤＰＥ、ＬＬＤＰＥ、ＭＤＰＥ、ＨＤＰＥ又はこれらの積層品）を融点近くまで加熱し、成形スクリーンを通して吸引力を作用させ、この吸引力は、この作用を受けた領域を成形孔内へ引き込み、この成形孔は、フィルムがその形状になるように形づくられており、そして、吸引力が十分に高い場合、フィルムがその端部のところで破断し、それにより孔がフィルムを貫通して形成される。
【００４８】
毛管の種々の形態、形状、寸法及び形態が可能であり、以下に図２〜図７を参照して説明する。孔５３は毛管５４を形成し、毛管５４は、側壁５６を有している。毛管は、代表的には、少なくとも孔の最大直径程度の長さにわたりフィルム５５の着用者側表面から遠ざかって延びている。なお、この長さは、孔の最大直径の数倍に達してもよい。毛管は、フィルム５５の衣料品側表面の平面内に設けられた第１の開口部５７及び上述の方法において吸引力（例えば、真空）が孔を作ったときに形成された開口部である第２の開口部５８を有している。当然のことながら、第２の開口部５８の縁部は、でこぼこしていてもよく或いは平坦でなくてもよく、開口部の縁部から延びるぐらぐらの要素から成っている。しかしながら、この開口部は、吸収心材４４が吸収物品内に位置した状態で、毛管５４の第２の開口部５８の端部のところでの延長要素相互間における液体運搬上のからみ合いを生じさせないようにできるだけ滑らかであることが好ましい（対照的に、これは、かかるぐらぐらした要素が液体運搬性を促進する吸盤の脚の機能を発揮する有孔フィルムトップシートとしては望ましい場合がある）。
【００４９】
図４に示すように、第１の開口部は、中心点１５７を有し、第２の開口部も又、中心点１５８を有している。非円形開口部についてのこれら中心点は、それぞれの開口領域の中心点である。第１の開口部５７の中心点１５７と第２の開口部５８の中心点１５８を結ぶと、中心軸線６０が定まる。この中心軸線６０は、フィルム５５の衣料品側表面と同一の平面であるフィルムの平面と角度５９を成している。この角度は、好ましくは８５°〜２０°、より好ましくは６５°〜２５°、最も好ましくは５５°〜３０°である。
【００５０】
当然のことながら、毛管は、中心線Ａに垂直な平面内における開口部のサイズを考慮すると、第２の開口部５８が第１の開口部５７よりも（実質的に）小さいように漏斗の形態をとることができる。かかる実施形態は、図３及び図２に示されている。図２では、毛管の壁５６は、第２の開口部５８で終端しておらず、したがって開口部は、中心線Ａに垂直な平面を形成するが、フィルム５５の着用者側表面から一段と遠くに位置した毛管の部分の壁は、液体が毛管を通ってフィルム５５の着用者側の面の吸収心材からフィルムの衣料品側表面に移動する（漏れを生じさせる）恐れをフィルムが減少させるのを一段と助けるために開口部上を延びるようになっていることも示されている。
【００５１】
図５には、フィルム５５の着用者側表面に向かって長さ方向に沿って湾曲した本発明に有用な毛管の別の実施形態が示されている。これは、図２に示すような壁５６の延長部と同様な効果を発揮する。
【００５２】
図６には、第１の部分２５７及び第２の部分２５８を備えた本発明の毛管の別の好ましい実施形態が示されている。毛管の第１の部分２５７は、方向が毛管５４の第２の部分２５８と異なっている。この相違点は、着用者側側面から衣料品側側面に向かう方向へのフィルムを通る液体の通過を防止しながら所望の通気性の度合を達成するために、毛管の部分の寸法形状及び形態においても存在するのがよい。かかる例が図７に示されている。
【００５３】
理論的根拠は明確ではないが、本発明のこの好ましい実施形態の使い捨て吸収物品中の通気性バックシートのポリマーバックシートフィルムに形成された傾斜毛管により、空気及び水蒸気の透過性が得られ、それと同時に、これらを着用期間中に、ユーザにより着用者側からこれらに及ぼされる圧力のもとで好ましいＬ／Ｄ比により容易に曲げることができる。このような曲げを行うことにより、傾斜毛管は、これらを通って上述の好ましい実施形態の物品の外側に向かう液体の運搬がほとんど不可能になるように圧力を受けて閉じる。それゆえ、これら３次元成形フィルム層は、通気性吸収物品という観点からは非常に好ましくは、追加の第２の外側層が設けられる場合には特にそうである。
【００５４】
本発明によれば、有孔フィルムに用いられるポリマー材料は、従来のポリマー材料、例えばポリエチレン（ＬＤＰＥ、ＬＬＤＰＥ、ＭＤＰＥ、ＨＤＰＥ又はその積層物）、或いはポリプロピレン又はモノリシックポリマー材料である。特に、第１の層の材料としてモノリシックポリマーフィルムを用いると、応力が加わる条件のもとでも水蒸気透過性が得られる。孔は、「漏れ止め」条件の間空気の透過性をもたらし、応力が加わる条件下では毛管を閉じてしまうが、モノリシック材料は、かかる場合でも水蒸気透過性を維持する。本発明に用いられる好ましい通気性モノリシックフィルム材料は、高い蒸気高交換性を備えるものである。適当なモノリシックフィルムとしては、米国デュポン・コーポレイションから入手できるＨｙｔｒｅｌ（登録商標）、Ｊ−Ｃ Ｃａｒｄｉｎａｌ Ｙ． Ｔｒｏｕｉｈｅｔ、スイス国デュポン・ド・ネムール・インターナショナル・Ｓ．Ａ．のインデックス・９３・Ｃｏｎｇｒｅｓｓ、Ｓｅｓｓｉｏｎ ７Ａ“Ａｄｄｉｎｇ ｖａｌｕｅ ｔｏ Ｎｏｎｗｏｖｅｎｓ ”に記載されているような他のかかる材料が挙げられる。
【００５５】
樹脂組込み疎水性増強化合物
本発明の従来型ポリマー材料は現在では「もともと」疎水性である。本発明によれば、フィルムは、材料の疎水性を増強させる追加の化合物と一緒にかかるポリマー材料から作られる。「疎水性」という用語の定義は、ＰＣＴ出願公開明細書ＰＣＴ／ＵＳ９６／２０６８５号に見られる。
【００５６】
一般的には、固体表面上に置かれた液体の滴が固体表面と接触角Ａをなす。液体による固体表面の湿潤性が増大すると、接触角Ａは減少する。液体による固体表面の湿潤性が減少すると、接触角Ａは増大する。液固接触角は、当該技術分野で知られた方法、例えばＰｈｙｓｉｃａｌ Ｃｈｅｍｉｓｔｒｙ ｏｆ Ｓｕｒｆａｃｅｓ， Ｓｅｃｏｎｄ Ｅｄｉｔｉｏｎ， ｂｙ Ａｒｔｈｕｒ Ｗ． Ａｄａｍｓｏｎ、Ｆ． Ｅ． Ｂａｒｔｅｌｌ ａｎｄ Ｈ． Ｈ． Ｚｕｉｄｅｍａ， Ｊ． Ａｍ． Ｃｈｅｍ． Ｓｏｃ 、Ｊ． Ｊ． Ｂｉｋｅｒｍａｎ， Ｉｎｄ． Ｅｎｇ． Ｃｈｅｍ． Ａｎａｌ． Ｅｄ．，１３，４４３（１９４１）に詳細に記載されており、かかる技術文献を、本明細書の一部を形成するものとしてここに引用する。この文面におけるより最近の刊行物としては、Ｃｈｅｎｇ，ｅｔ．ａｌ．， Ｊｏｕｍａｌ ｏｆ Ｃｏｌｌｏｉｄ ａｎｄ Ｓｕｒｆａｃｅｓ ４３：１５１−１６７（１９９０）、Ｒｏｔｈｅｎｂｕｒｇ，ｅｔ．ａｌ．， Ｊｏｕｍａｌ ｏｆ Ｃｏｌｌｏｉｄ ａｎｄ ｉｎｔｅｒｆａｃｅ Ｓｃｉｅｎｃｅ ９３（１）：１６９−１８３（１９８３）が挙げられ、これらもまた本明細書の一部を形成するものとしてここに引用する。
【００５７】
本明細書で用いる「親水性」という用語は、付着した水性流体（例えば、水性の体液）によって湿潤可能な表面を意味している。親水性及び湿潤性は代表的には、流体と固体表面の接触角及び表面張力の観点から定義される。これは、米国化学学会の刊行物（題名：Ｃｏｎｔａｃｔ Ａｎｇｌｅ， Ｗｅｔｔａｂｉｌｉｔｙ ａｎｄ Ａｄｈｅｓｉｏｎ， ｅｄｉｔｅｄｂｙ Ｒｏｂｅｒｔ Ｆ． Ｇｏｕｌｄ （Ｃｏｐｙｒｉｇｈｔ １９６４） に詳細に説明されており、かかる文献を本明細書の一部を形成するものとしてここに引用する。流体が正面を横切って一人でに広がる傾向があるときに、表面は水性流体（親水性）によって湿潤されるといわれている。逆に、もし水性流体が、表面を横切ってひとりでに広がる傾向がなければ、表面は「疎水性」と考えられる。
【００５８】
液固接触角は、表面不均質性（例えば、化学的及び物理的性質、例えば粗さ）、汚染度、固体表面の化学的／物理的処理又は組成、液体の清浄及びその汚染度で決まる。固体の表面エネルギもまた、接触角に影響を与える。固体の表面エネルギが減少すると、接触角は増大する。
【００５９】
液体を固体表面（例えば、フィルム又は繊維）から分離するのに必要なエネルギは次式（１）によって表される。
【００６０】
（１）Ｗ＝Ｇ（１＋ｃｏｓ Ａ）
上式において、Ｗはエルグ／ｃｍ２  （×１０−３Ｊｍ−２）で測定した付着の仕事量、Ｇは、ダイン／ｃｍ（×１０−３Ｎｍ−１）で測定した液体の表面張力、Ａは、度（°）で測定した液固接触角である。
【００６１】
所与の液体の場合、付着の仕事量は、液固接触角のコサインの増大につれて増大する（接触角Ａが０の場合に最大に達する）。
【００６２】
付着の仕事量は、所与の液体についての所与の表面の表面エネルギ特性を理解してこれを定量化する上での１つの有用なツールである。
【００６３】
表１は、表面張力が７５ダイン／ｃｍ（７５×１０−３Ｊｍ−２）の特定の流体（例えば水）についての固液接触角と付着の仕事量との関係を示すのに役立つ。
【００６４】
2004538017.tif 000002
表１に示すように、特定の表面の付着仕事量が減少すると（特定の表面の低い表面エネルギを表す）、表面上の流体の接触角が増大し、それゆえに、流体は、「玉」になりがちであり、狭い接触表面積を占める。したがって、付着の仕事量は、固体表面上における界面の流体の減少に影響を与える。
【００６５】
ポリマー材料に組み込まれるべき好ましい材料は、フルオロケミカル化合物であることが必要である。かかる化合物は、当該技術分野において周知であり、米国特許第５，３４２，４１３号、米国特許第５，０９９，０２６号、欧州特許出願公開明細書第２６０，０１１号、欧州特許出願公開明細書第８１４１９０号、米国特許第５，１５１，３２１号及び米国特許第５，１７８，９３１号に詳細に説明されている。これら特許文献の開示内容を本明細書の一部を形成するものとしてここに引用する。
【００６６】
上記の特許文献における説明から当業者には、疎水性の増大の仕方は当業者には明らかであった。しかしながら、有孔フィルム（特に、通気性吸収物品のバックシート中）に用いることにより、疎水性をもたらす方法を単純化しながらこれら材料の障壁性能に相乗効果を及ぼすことができるということが知られていなかった。
【００６７】
従来、この関連においては表面エネルギ勾配を作ることがフィルム又は層の表面加工を必要とすることが考えられた。しかしながら、毛管が形成された層中のこの樹脂組込み疎水性化合物がすでに存在することにより、液体が毛管を通って移動することが防止される。本発明の極めて有益な傾斜毛管方式を対にすると、その結果得られるフィルム層は、極めてありふれていて且つこれまで達成できなかった障壁作用を液体通路に対して発揮するということが判明し、それにより、吸収物品のバックシート中にこのフィルム層だけが設けられているのでこれを用いることができるようになる。
【００６８】
任意的に用いられる第２の層
本発明によれば、第２の層５２（設けられた場合）は、物品の通気性を支援するよう少なくとも水蒸気透過性をもたらすのに必要である。この第２の層は、物品の通気性から利点としての快適性を一段と向上させるために空気透過性をも支援することは必要ではないが望ましい。これに関連して、適当な水蒸気及び空気透過性層は、２次元ミクロ又はマクロ有孔フィルムを含み、かかるフィルムもまた、顕微鏡的又は肉眼的に発泡させたフィルム、成形有孔フィルム及びモノリシックフィルムや不織布又は織布であるのがよい。これらは，上述したように樹脂組込み疎水性増大構成要素を備えるのがよい。
【００６９】
追加の層としてバックシート中に設けるのがよい適当な２次元プレーナ（平面状）層を当該技術分野で知られている任意の材料で作ってもよいが、これらは好ましくは、市販のポリマー材料で製造される。適当な材料は例えば、いわゆる通気性被服において使用可能な当該技術分野において周知のゴアテックス（Ｇｏｒｅｔｅｘ ：登録商標）又はシンパテックス（Ｓｙｍｐａｔｅｘ：登録商標）タイプの素材である。他の適当な材料としては、米国ミネソタ州セントポール所在のミネソタ・マイニング・アンド・マニファクチャリング・カンパニイのＸＭＢ−１００１及びエクソン・ケミカル・カンパニイによって供給されるＥｘｘａｉｒｅ ＸＢＦ−１０１Ｗが挙げられる。本明細書において用いられる「２次元プレーナ層」という用語は、深さが１ｍｍ未満、好ましくは０．５ｍｍ未満の層を意味し、ここでは孔は、層の平面から突き出ない。本発明のバックシートとして使用可能な多孔性材料を、例えば欧州特許第２９３４８２号及び本明細書に記載した技術文献に記載されている当該技術分野で公知の方法のうち任意のものを用いて製造することができる。加うるに、この方法によって得られる孔の寸法形状を、バックシート層の平面に力を及ぼすことにより（即ち、層を引き伸ばすことにより）大きくすることができる。
【００７０】
適当な有孔形成フィルムとしては、層の衣料品側表面の水平面を越えて心材に向かって延び、それにより突起を形成する孔が飛び飛びに設けられたフィルムが挙げられる。突起は、その終端部に位置したオリフィスを備えている。好ましくは、かかる突起は、米国特許第３，９２９，１３５号に記載されたものと類似した漏斗形状のものである。突起の平面内に設けられた孔及び突起の終端部のところに設けられたオリフィスはこれら自体、円形であってもよく、或いは非円形であってもよい。ただし、突起の終端部のところのオリフィスの横断面寸法又は横断面積が、層の衣料品側表面内に設けられた孔の横断面寸法又は横断面積よりも小さいことを条件とする。好ましくは、これら有孔予備成形フィルムは、液体運搬に方向性があり、そして、バックシートからの液体の損失（液漏れ）の防止を支援するように位置決めされる。本発明に用いるのに適した肉眼的に発泡させたフィルムは、例えば米国特許第４，６３７，８１９号及び米国特許第４，５９１，５２３号に記載されたフィルムである。
【００７１】
適当なモノリシックフィルムとしては、米国デュポン・コーポレイションから入手できるＨｙｔｒｅｌ（登録商標）、Ｊ−Ｃ Ｃａｒｄｉｎａｌ Ｙ． Ｔｒｏｕｉｈｅｔ、スイス国デュポン・ド・ネムール・インターナショナル・Ｓ．Ａ．のインデックス・９３・Ｃｏｎｇｒｅｓｓ、Ｓｅｓｓｉｏｎ ７Ａ“Ａｄｄｉｎｇ ｖａｌｕｅ ｔｏ Ｎｏｎｗｏｖｅｎｓ ”に記載されているような他のかかる材料が挙げられる。適当な不織布及び（又は）織布は、当該技術分野において周知のもののうち任意のものである。例えば、熱結合エアレイ法、ドライレイ法又はさらにウェットレイ法の施されたスパンボンド、メルトダウン又はカード（カーディングされた）不織布（結合剤の有無を問わない）を用いることができる。特に好ましい不織布は、多層不織布、例えば、微細メルトブローン繊維と不織層の着用者側表面を形成するメルトブローン繊維の複合材である。
【００７２】
吸収物品の構造
本発明のもう１つの特徴は、吸収物品を構成するための要素としてのトップシート、バックシート及び吸収心材の相互接合に関する。本発明によれば、物品の要素のうち少なくとも２つ、好ましくはすべてが接合される。
【００７３】
少なくとも１つの層を有する上記要素は各々、着用者に向いた表面（着用者側表面）及び衣料品に向いた表面（衣料品側表面）を有している。代表的には、隣合う衣料品側表面は、その隣の要素又は層の着用者側表面と共通のインタフェースを形成する。これら要素又は層をこの共通インタフェースを横切って互いに接合する。このように、トップシートを吸収心材に接合し、吸収心材をバックシートに接合する。さらに上記トップシート、バックシート及び心材要素は各々、２以上の層を有するのがよく、これら層もまた同様に接合するのがよい。さらに、トップシートを、吸収心材を収容するよう吸収物品の周囲のところでバックシートに直接又は間接的に接合するのがよい。
【００７４】
要素及びその層を層が接合手段により互いに直接取り付けられ或いは互いに間接的に取り付けられるように２つの互いに隣接した材料層を取り付ける当該技術分野で知られている任意の手段によって接合するのがよい。適当な接合手段としては、接着剤、融着法、超音波融着法、ステッチ溶着法、熱（例えば、繊維を交差部のところで溶着し又はポリマーを溶融させて繊維又はフィルムを互いに取り付けることによる熱圧着法）、エンボス法、圧着法、加圧接合法、動的機械式接合法、又はこれらの組み合わせが挙げられる。本発明の実施形態によれば、好ましい接合手段は、接着剤である。適当な接着剤としては、非感圧及び常温接着剤が挙げられる。接着剤を、当該技術分野で知られている任意の手段、例えば、螺旋塗布法、スロット被覆法、スプレー法、螺旋スプレー法、カーテンコーティング法、接触コーティング法及び印刷法によって塗布するのがよい。ただし、接着剤が通気性吸着物品としての本発明の好ましい実施形態において通気性及び物品の要素の他の機能に実質的に影響を及ぼさないことを条件とする。
【００７５】
通気性の維持を達成するには、特定の接着剤塗布法、例えば、開放式接着剤塗布法を用いるのがよく、それにより、共通のインタフェースの領域は、２つの隣合う層又は要素の取付け／接合の所要レベルを保持した状態で接着剤がない状態になる。特に、螺旋スプレー法が好ましい。
【００７６】
吸収物品が生理用ナプキン又はパンティーライナーとして利用される本発明の好ましい実施形態では、吸収物品は、物品を下着に取り付けるための手段を備えたパンティー取付け手段をさらに備える。例えば、パンティー取付け手段は、機械的締結具、例えばＶＥＬＣＲＯという商品名で市販されているフックとループから成る締結具、スナップ又はホルダーから成るのがよい。変形例として、物品をバックシート上に塗布されたパンティー取付け用接着剤によって下着に取り付ける。パンティー取付け用接着剤は、物品をパンティーに固定する手段及び好ましくは汚れると物品を折り畳み及び包装パッケージに固定して楽に処分する手段を提供する。代表的には、バックシートの衣料品側表面の少なくとも一部は、パンティー取付け用接着剤を形成するよう接着剤で被覆されている。かかる目的のため、当該技術分野で用いられている接着剤又はにかわ（グルー）をかかるパンティー取付け用接着剤に用いることができる。感圧接着剤が最も好ましい。適当な接着剤としては、オハイオ州コロンブス所在のセンチュリー・アドヘッシブズ・コーポレイションによって製造されているＣｅｎｔｕｒｙ Ａ−３０５−ＩＶ及びニュージャージー州ブリッジウオーター所在のナショナル・スターチ・アンド・ケミカル・カンパニイによって製造されているＩｎｓｔａｎｔ ＬＯＫ３４−２８２３、スリー・シグマ社によって製造されている３ Ｓｉｇｍａ ３１５３、及びエイチ・ビー・フラー・カンパニイによって製造されているＦｕｌｌｅｒ Ｈ−２２３８ＺＰ が挙げられる。
【００７７】
バックシートの通気性（及びかくして、物品全体の通気性）に対する悪影響を抑えるために、接着剤は好ましくは、バックシートの表面の少なくとも６０％、好ましくは少なくとも８０％、最適には少なくとも９０％が接着剤の存在しない状態に塗布される。所要の接着力を、表面被覆率を減少させても、特定の分布方式、例えば接着剤の薄いストリップ、不連続ストリップ、とぎれとぎれのドット、ランダムなパターン又は螺旋方式を用いることにより達成できる。
【００７８】
パンティー取付け用接着剤は代表的には、接着剤が乾かないようにするため或いは使用前にパンティー以外の別の表面にくっつかないようにするために、取外し可能な剥離紙又はフィルムで被覆されている。市販の剥離紙又はフィルムを用いることができる。適当な例としては、アキロシル・コーポレイションから入手できるＢＬ ３０ＭＧ−Ａ ＳＩＬＯＸ ＥＩ／Ｏ及びＢＬ ３０ ＭＧ−Ａ ＳＩＬＯＸ ４ Ｐ／Ｏが挙げられる。
【００７９】
本発明によれば、吸収物品を、生理用ナプキン、パンティーライナー、失禁用物品、汗取り用パッド及びおむつに有利に用いることができる。しかしながら、生理用ナプキンが本発明の作用効果を受けるのに特に適している。かくして、使い捨て物品は、製品の意図した使用法と関連した製品について代表的な全ての特徴及び部分を有してもよい。
【図面の簡単な説明】
【図１】
本発明の通気性バックシートの好ましい実施形態を含む通常の構成要素を全て有する吸収物品の断面図である。
【図２】
本発明の有孔フィルムに用いられる傾斜毛管の特定の変形実施形態を示す図である。
【図３】
本発明の有孔フィルムに用いられる傾斜毛管の特定の変形実施形態を示す図である。
【図４】
本発明の有孔フィルムに用いられる傾斜毛管の特定の変形実施形態を示す図である。
【図５】
本発明の有孔フィルムに用いられる傾斜毛管の特定の変形実施形態を示す図である。
【図６】
本発明の有孔フィルムに用いられる傾斜毛管の特定の変形実施形態を示す図である。
【図７】
本発明の有孔フィルムに用いられる傾斜毛管の特定の変形実施形態を示す図である。
【国際公開パンフレット】
2004538017.tif 000003
2004538017.tif 000004
2004538017.tif 000005
2004538017.tif 000006
2004538017.tif 000007
2004538017.tif 000008
2004538017.tif 000009
2004538017.tif 000010
2004538017.tif 000011
2004538017.tif 000012
2004538017.tif 000013
2004538017.tif 000014
2004538017.tif 000015
2004538017.tif 000016
2004538017.tif 000017
2004538017.tif 000018
2004538017.tif 000019
2004538017.tif 000020
2004538017.tif 000021
2004538017.tif 000022
2004538017.tif 000023
2004538017.tif 000024
2004538017.tif 000025
2004538017.tif 000026
2004538017.tif 000027
2004538017.tif 000028
2004538017.tif 000029
2004538017.tif 000030
2004538017.tif 000031
2004538017.tif 000032
【国際調査報告】
2004538017.tif 000033
2004538017.tif 000034
2004538017.tif 000035
2004538017.tif 000036